(57)【要約】【課題】  コンパス、分度器、定規を使用する作業の際に、器具を変えたり、組み合わせて使用する必要のないよう、これらの器具を、形態、構造から改変し、一体化。持ち運びにも便利な形状で提供する。【解決手段】定規の一部、または全てをレールとして使用し、レールに沿って移動し、円半径の調整と円運動の軸の役目を果たす「軸部」と、レールの延長線上に「ペン差込口」または「ペン固定部」を設ける。この構造により、円を描くことができ、コンパス機能と定規とを一体化することが可能となる。また、分度器をローラー形にし、コンパクトにすることで分度器機能の一体化も可能となった。【選択図】図１
2016165879.tif 000002
【特許請求の範囲】
【請求項１】
レールに沿って移動し、円半径の調整と、円運動の軸の役目を果たす「軸部」と、レールの延長線上に「ペン差込口」または「ペン固定部」を設けた構造によって単体で円半径をミリ単位で設定し、円を描くことのできるコンパス。
【請求項２】
角を成す２本の線の一方の線からもう一方の線までローラーを転がし、転がった距離によって角度を測るローラー形の分度器。
【請求項３】
請求項１、請求項２の器具の形態における直線部分に目盛を振り、定規として使用し、請求項１、請求項２のどちらか一方、または両方と一体化し、１つの器具にまとめた一体型器具。
【発明の詳細な説明】
【技術分野】
【０００１】本発明は、コンパス、分度器、定規を使用する作業を行う際の能率と利便性向上のために、これらの器具をその形態、構造から改変し機能的に一体化したものである。
【背景技術】
【０００２】従来は、コンパス、分度器、定規は別々の器具であり、一体化されているものにも、本発明のような形態のものはなかった。
また、円を描いたり、角度を測るための形態、構造も本発明とは異なるものであった。
【発明の概要】
【発明が解決しようとする課題】
【０００３】  従来、コンパスで望んだ半径の円を書く際に面倒であったのは、定規を別に用意し、目盛にあてがって半径の大きさを調整しなければならない点であった。
また、コンパス、分度器ともに、ペン立てやペンケースに入りづらく持ち運びが不便であった。
【課題を解決するための手段】
【０００４】  角柱形の本体（定規部）（１）に、溝穴形のスライドレール（２）と、レールに沿って移動（スライド）するスライド軸（３）、レールの延長線上にペン差込口（１１）を設ける。
この構造により、スライド軸（３）を中心に円を描くことができ、コンパス機能と定規とを一体化。単体で円半径を１ミリ単位で調整できるようにした。
また、分度器をローラー形にし、本体（定規部）（１）の一端に取り付けることにより、分度器機能の一体化も可能となった。
【発明の効果】
【０００５】  円と直線の組み合わさった図形（円グラフなど）を描く際や、角度を測る際に、器具を変えたり、組み合わせて使う必要がなくなり、作業の能率向上が期待できる。
また、棒状で大きさがペン（筆記具）とさほど変わらないため、持ち運びにも便利となる。
【図面の簡単な説明】
【０００６】
【図１】本発明の上面図である。
【図２】本発明の正面図である。
【図３】本発明の底面図である。
【図４】本発明の背面図である。
【図５】本発明のスライド軸（３）の拡大斜視図である。
【図６】本発明のスライド軸（３）の分解図（拡大斜視図）である。
【図７】本発明のスライド軸（３）の動作図（側面方向から。本体（定規部）（１）のみ断面）である。
【図８】本発明のスライド軸（３）の動作図（側面方向から。本体（定規部）（１）のみ断面）である。
【図９】本発明のペン差込口（１１）、ローラー分度器（１２）の拡大斜視図である。
【図１０】本発明のペン差込口（１１）、ローラー分度器（１２）の拡大上面図である。
【発明を実施するための形態】
【０００７】  本発明の形態について大まかに説明すれば、本発明は全体として角柱形の細長い棒状であり、素材は透明のプラスチックまたはアクリルを使用する。
この角柱形の本体に、形状加工と、いくつかのパーツが組み付けてあり、機能ごとに４つの部位に分けることができる。
１、本体（定規部）（１）  ２、スライドレール（２）とスライド軸（３）から成るスライド部  ３、ペン差込口（１１）  ４、ローラー分度器（１２）によって角度を測る分度器部  である。
以下に、それぞれの機能と構造を説明する。
【０００８】  図１、図２、図３において表したとおり、本体（定規部）（１）には、上面から底面にかけて１ミリ単位で目盛が振ってあり、接地面に対して垂直となる正面（図２）下部に筆記具をあて、最長１５センチメートルまでの長さを計りながら、線を引くことができる。
またセンチメートルの数値を表す数字は、底面部に鏡文字で記されており、上面または正面側斜め上から正しく読めるようになっている。
大きく記された数字は直線を引く際に、小さく記された数字は、円の半径を決める際に使用する。
【０００９】  スライド部はスライドレール（２）とスライド軸（３）から成り、ボタン（５）を押すとスライドレール（２）に沿って、スライド軸（３）が移動（スライド）できる構造となっているため、スライド軸（３）を接地面に固定すると、図１から図４でいうところの左右に、本体（定規部）（１）をスライドさせることができる。
スライドによって変化する、スライド軸（３）とペン差込口（１１）との距離がそのまま円半径となる。
【００１０】  円を書く手順としては、まず、図３に表した十字線（１０）交差部を任意の点に合わせる。芯柱部（９）底面に記された十字線（１０）は、本体（定規部）（１）と同じく透明の芯柱部（９）上面からのぞいて見ることができる。
次に、スライド軸（３）を固定したまま、ボタン（５）を押し、本体（定規部）（１）をスライドさせ、希望の円半径となる目盛と、軸部基準線（６）とを合わせ、円半径を決める。
最後にボタン（５）を離し、スライド不可の状態で、ペン差込口（１１）に筆記具を差し込み、スライド軸（３）を中心に筆記具でもって本体端部を回転させ、円を描く。
【００１１】  スライド軸（３）は、図６に表したとおり、５つのパーツから成り、円運動の軸となる機能と、円半径の長短を調整する機能を併せ持つ。
図６、図７、図８を用いて、その動作を説明する。図７はボタン（５）を押していない状態であり、バネ（７）の外側へ広がろうとする力により、本体（定規部）（１）とブレーキ部（８）が接着し、スライド不可の状態である。この時、本体（定規部）（１）は両端の円運動のみ可能となるのだが、これは、図６において表したとおりバネ（７）の芯柱部（９）との干渉部分が、円筒状となっており、芯柱部（９）にすっぽりはまり、回転が可能であるからであり、ブレーキ部（８）の接着によりバネ（７）と一体関係にある本体（定規部）（１）もまた、芯柱部（９）を中心に回転が可能となるからである。
これにより、端部にあるペン差込口（１１）やローラー分度器（１２）の円運動が可能となる。
【００１２】  円半径を調整する場合、スライド軸（３）にあるボタン（５）を押し、接地方向へ押し下げる。すると、図８のように、芯柱部（９）を取り巻く、ボタン（５）下部の円筒状のくぼみに、バネ（７）が深く入り込み、曲がりが強まることによってバネ（７）先端のブレーキ部（８）が芯柱部（９）方向に近づき、本体（定規部）（１）との接着力が弱まる。
これにより、本体（定規部）（１）のスライドが可能となり、ボタン（５）を離せばまた、バネ力によりボタン（５）が押し上げられ、ブレーキが効くことによって、スライド不可となる。
【００１３】  分度器部は、ローラー形の分度器を、角を成す２本の線の一方の線からもう一方の線まで、円状に転がすことにより、ローラー１周につき３０度までの角度を測ることができる。
構造は、段になったローラー分度器（１２）が、本体（定規部）（１）の端にピンで取り付けられており、円径の短いローラー目盛（１４）が、本体（定規部）（１）端の円柱状のくぼみに入り込んでおり、円径の長いローラー部（１３）は、端部が接地し、接地面を転がるようになっている。
この構造を利用し、２本の線の角度を測る方法は、次のとおりである。
【００１４】  まず、円を書く場合と同様に、芯柱部（９）底面の十字線（１０）交差部を角の先端に合わせ、ボタン（５）を押して本体（定規部）（１）をスライドさせ、本体（定規部）（１）の小さい方の数字で５の目盛に軸部基準線（６）を合わせる。これは、ローラー部（１３）とスライド軸（３）とがこの距離であるときにローラー１周につき３０度となるよう設計されているためである。
次に、本体（定規部）（１）底面に記された、本体基準線（１６）を１本目の線に合わせ、固定したまま、ローラー部（１３）を指で回転させ、ローラー目盛（１４）の０（ゼロ）の線と、本体（定規部）（１）内部に埋め込まれた板状針（１５）とを合わせる。その後、スライド軸（３）を中心に、ローラー部（１３）を接地させ転がしながら円回転させ、２本目の線と本体基準線（１６）が合わさったところで、板状針（１５）の指す目盛を読み取る。
３０度以上の角度を測る場合は、回転した分の数字を合計して計算する。
【００１５】  また、一体であるローラー部（１３）とローラー目盛（１４）とを別にし、ギアを組み込むことによって、１周で測ることのできる角度が３０度以上となる構造にすることも可能である。
全体の形態、素材等も明細書内で説明したものに限るものではなく本発明を実施するために必須である部分は特許請求の範囲において表すものとする。
【符号の説明】
【００１６】１  本体（定規部）
２  スライドレール
３  スライド軸
４  キャップ
５  ボタン
６  軸部基準線
７  バネ
８  ブレーキ部
９  芯柱部
１０  十字線
１１  ペン差込口
１２  ローラー分度器
１３  ローラー部
１４  ローラー目盛
１５  板状針
１６  本体基準線
【図１】
2016165879.tif 000003
【図２】
2016165879.tif 000004
【図３】
2016165879.tif 000005
【図４】
2016165879.tif 000006
【図５】
2016165879.tif 000007
【図６】
2016165879.tif 000008
【図７】
2016165879.tif 000009
【図８】
2016165879.tif 000010
【図９】
2016165879.tif 000011
【図１０】
2016165879.tif 000012